(57)【要約】  本願は医療機器の技術分野に関し、コンベアと修復部材とを含む低侵襲手術で弁葉修復を行うシステムを開示する。コンベアは、連動リリース動作が可能であり、操作ハンドルと、位置決めピンと、アウターチューブクランプと、アウター搬送チューブと、搬送針と、プッシュチューブと、を含み、操作ハンドルは、タイロッドと、プッシュハンドルと、グリップと、リリースボタンと、スライドキーと、セキュリティボタンと、を含む。本願による弁葉修復システムは、低侵襲手術における弁葉の修復に適用され、操作が簡単で、ワンステップでリリース及び修復操作を実現するとともに、手術中の操作の難易度や強度、患者の苦痛を低減させ、手術成功率を向上させることができる。【選択図】図１２
2021500194.tif 000002
【特許請求の範囲】
【請求項１】
コンベアと修復部材とを含む低侵襲手術で弁葉修復を行うシステムであって、前記コンベアは、連動リリース動作を行うことが可能であり、操作ハンドルと、位置決めピンと、アウターチューブクランプと、アウター搬送チューブと、搬送針と、プッシュチューブとを含み、前記修復部材は、アンカー部材と、接続線とを含むことを特徴とする低侵襲手術で弁葉修復を行うシステム。
【請求項２】
前記操作ハンドルは、タイロッドと、プッシュハンドルと、グリップと、リリースボタンと、スライドキーと、セキュリティボタンとを含み、前記タイロッドは前記プッシュチューブに接続され、前記プッシュハンドルは前記タイロッドの外部に外嵌されており、前記プッシュハンドルは前記搬送針に接続され、前記グリップは前記プッシュハンドルの外部に外嵌されており、前記グリップは前記アウター搬送チューブに接続され、前記タイロッドと前記プッシュハンドルの両方に射出機構が設けられ、前記タイロッドと前記プッシュハンドルはバネにより伝動可能であり、前記位置決めピンは前記アウター搬送チューブの外面に外嵌され、前記アウター搬送チューブは前記搬送針の外面に外嵌され、前記プッシュチューブは前記搬送針の内部に位置し、前記搬送針の内部の前記修復部材をリリースさせるように配置されることを特徴とする請求項１に記載の低侵襲手術で弁葉修復を行うシステム。
【請求項３】
前記タイロッドに、排気インターフェースと、血液を密封可能で、接続線が切断されるようにカット可能な管状構造とが設けられ、前記タイロッドの外側と前記プッシュハンドルの内側との間には、バネ機構が設けられていることを特徴とする請求項２に記載の低侵襲手術で弁葉修復を行うシステム。
【請求項４】
前記プッシュハンドルの内側には、前記タイロッドの射出を制御するように配置された係止キーが設けられ、前記プッシュハンドルの外側と前記グリップの内側との間にはバネ機構が設けられていることを特徴とする請求項２に記載の低侵襲手術で弁葉修復を行うシステム。
【請求項５】
前記スライドキーは前記グリップに位置し、トリガーリリース部分は前記プッシュハンドルに位置し、前記プッシュハンドルが引き離されると、前記スライドキーをリリース位置にスライドさせ、係止キーをアンロックして、さらにタイロッドをリリースさせることができることを特徴とする請求項４に記載の低侵襲手術で弁葉修復を行うシステム。
【請求項６】
前記リリースボタンは前記グリップに設けられ、前記リリースボタンをトリガーした後、即時に前記プッシュハンドルの射出をトリガーすることができ、前記スライドキーは、前記プッシュハンドルが射出された後に前記係止キーをトリガーして、前記タイロッドの射出をトリガーすることができることを特徴とする請求項４に記載の低侵襲手術で弁葉修復を行うシステム。
【請求項７】
前記グリップには、誤操作を防止するためのセキュリティボタンが設けられており、前記セキュリティボタンは、誤操作による前記リリースボタンのトリガーを防止するように配置されることを特徴とする請求項２に記載の低侵襲手術で弁葉修復を行うシステム。
【請求項８】
前記位置決めピンの先端と前記アウター搬送チューブの先端とが平行となるように前記位置決めピンと前記アウターチューブクランプとが結合することにより、手術中の出血の停止及び埋め込み位置の弁葉の損傷の回避を実現することを特徴とする請求項２に記載の低侵襲手術で弁葉修復を行うシステム。
【請求項９】
前記アンカー部材は、金属や高分子材料からなり、弁葉にアンカーされるように配置されることを特徴とする請求項１から請求項８のいずれか一項に記載の低侵襲手術で弁葉修復を行うシステム。
【請求項１０】
前記接続線は、前記アンカー部材に接続され、高分子材料からなることを特徴とする請求項１から請求項８のいずれか一項に記載の低侵襲手術で弁葉修復を行うシステム。
【請求項１１】
前記修復部材は前記コンベアに接続され、操作ハンドル内には内から外へそれぞれプッシュチューブ、搬送針、アウター搬送チューブである３重のカニューレが設けられており、前記操作ハンドルは、タイロッドと、プッシュハンドルと、グリップとを含み、
前記プッシュハンドルは前記タイロッドの外部に外嵌され、前記グリップは前記プッシュハンドルの外部に外嵌されており、
前記操作ハンドル内に左から右への延長方向に、第１チューブベース、第２チューブベース、第３チューブベースが順に設けられ、前記タイロッドは前記第１チューブベースに接続され、前記プッシュハンドルは前記第２チューブベースに接続され、前記グリップは前記第３チューブベースに接続されており、
前記プッシュチューブは、一端が前記第１チューブベースに接続され、他端が前記第２チューブベースの中心を貫通し、前記搬送針は、一端が第２チューブベースに接続され、他端が第３チューブベースの中心を貫通し、
前記アウター搬送チューブは、一端が第３チューブベースに接続され、他端がアウターチューブクランプ及び位置決めピンの中心を貫通し、前記アンカー部材は前記接続線に接続されることを特徴とする請求項１に記載の低侵襲手術で弁葉修復を行うシステム。
【請求項１２】
前記第１チューブベースには第１係合溝が設けられ、前記プッシュチューブには第１係合片が設けられ、前記第１係合溝と第１係合片とは構造的に結合されており、
前記第２チューブベースには第２係合溝が設けられ、前記搬送針には第２係合片が設けられ、前記第２係合溝と前記第２係合片とは構造的に結合されており、
前記第３チューブベースには第３係合溝が設けられ、前記アウター搬送チューブには第３係合片が設けられ、前記第３係合溝と前記第３係合片とは構造的に結合されることを特徴とする請求項１１に記載の低侵襲手術で弁葉修復を行うシステム。
【請求項１３】
前記タイロッドの外側と前記プッシュハンドルの内側との間に第１バネ機構が設けられ、前記第１バネ機構によって前記タイロッドと前記プッシュハンドルとが伝動接続されており、
前記プッシュハンドルの外側と前記グリップの内側との間に第２バネ機構が設けられ、前記第２バネ機構によって前記プッシュハンドルと前記グリップとが伝動接続されることを特徴とする請求項１１に記載の低侵襲手術で弁葉修復を行うシステム。
【請求項１４】
前記タイロッドには、排気インターフェースと、テンター装置と、管状構造と、前記プッシュハンドル内でスライド可能な第１スリップキーとが設けられ、前記管状構造は、血液を密封可能であり、且つ接続線が切断されて前記アンカー部材が前記コンベアから離脱するようにカットされることが可能であり、
前記テンター装置は、ワイヤークランプと、第１バネとを含み、前記ワイヤークランプは前記接続線に接続されることを特徴とする請求項１１に記載の低侵襲手術で弁葉修復を行うシステム。
【請求項１５】
前記プッシュハンドル内には、前記タイロッドがスライドする第１スリップ溝が設けられ、前記第１スリップ溝は前記第１スリップキーにフィットし、前記プッシュハンドルの外部には、前記グリップ内でスライド可能な第２スリップキーが設けられていることを特徴とする請求項１４に記載の低侵襲手術で弁葉修復を行うシステム。
【請求項１６】
前記プッシュハンドルには、一端に第２バネが設けられていて、第２バネの調整によってタイロッドをロックする係止キーが内部に設けられた方形構造が設けられていることを特徴とする請求項１５に記載の低侵襲手術で弁葉修復を行うシステム。
【請求項１７】
前記グリップには、スライドキーと、プッシュハンドルがスライドする第２スリップ溝とが設けられ、前記第２スリップ溝は前記第２スリップキーにフィットし、前記スライドキーは前記グリップの尾部に位置して、前記プッシュハンドルが引き離されると、前記スライドキーがリリース位置にスライド可能となり、前記スライドキーは前記プッシュハンドルが射出される際に前記係止キーをアンロックして、さらに前記タイロッドの射出をトリガーすることを特徴とする請求項１６に記載の低侵襲手術で弁葉修復を行うシステム。
【請求項１８】
前記グリップの先端にリリースボタンが設けられ、前記リリースボタンの下端に第３バネが設けられ、前記プッシュハンドルが引き離されると、前記リリースボタンは第３バネによって前記プッシュハンドルをロックし、前記リリースボタンがトリガーされると、前記プッシュハンドルの射出がトリガーされることができることを特徴とする請求項１１に記載の低侵襲手術で弁葉修復を行うシステム。
【請求項１９】
前記グリップには、リリースボタンに隣接して設けられ、且つ尾部に第４バネが設けられていて、第４バネの弾性力によってロックを保持するセキュリティボタンがさらに設けられていることを特徴とする請求項１８に記載の低侵襲手術で弁葉修復を行うシステム。
【請求項２０】
前記グリップには、セキュリティボタンに隣接して設けられ、セキュリティボタンのアンロック後のリセットに用いられるセキュリティボタンリセット孔がさらに設けられていることを特徴とする請求項１９に記載の低侵襲手術で弁葉修復を行うシステム。
【発明の詳細な説明】
【技術分野】
【０００１】
［関連出願の相互参照］
本願は、２０１７年１０月２０日に中国特許局に出願された出願番号２０１７１０９８５３８３６、名称を「低侵襲手術で弁葉修復を行うシステム」とする中国特許出願、及び２０１８年５月３日に中国特許局に出願された出願番号２０１８１０４１４３６５７、名称を「低侵襲手術で弁葉修復を行うシステム」とする中国特許出願の優先権を主張するものであり、その内容の全てが引用により本願に組み込まれる。
【０００２】
本願は、医療機器の技術分野に関し、特に、低侵襲手術で弁葉修復を行うシステムに関する。
【背景技術】
【０００３】
低侵襲手術は、人体への創傷が少なく、幅広く適用されつつある医療技術である。多くの低侵襲インプラント機器を埋め込むためには、ハンドルを操作して多くの複雑なステップを遂行する必要がある。術者にこれらのステップを容易に且つ便利に遂行させることが低侵襲機器の発展方向の一つである。
【０００４】
正常な弁膜は、血液の一方向のスムーズな流動を保障することができ、チャンバの血液を逆流させることなく効率的にポンピングすることができる。リウマチ性心疾患、心内膜炎等の多くの疾患による弁膜の障害によって弁膜の機能が損なわれ、狭窄及び逆流が通常の弁膜疾患である。狭窄は、弁膜が完全に開かれないため血流を阻害することであり、弁葉のカルシウム化による増厚が狭窄を引き起こす通常の要因である。逆流は、弁葉が完全に閉じられないため血液がポンピングされているチャンバに還流してしまうことであり、弁輪が拡張したり、弁葉が垂れ落ちたり、弁葉の動きが阻害されたりすることが逆流を引き起こす要因である。
【０００５】
二尖弁及び三尖弁は弁輪に付着された小葉からなり、これらの小葉は自由縁で腱索によって支持され、腱索は心室の内壁及び乳頭筋に付着される。しかしながら、これらの腱索のうちの一本又は複数本が弛んだり、破れたりすることにより、弁膜が垂れ落ちてしまい、心房と心室との間に正常に設置されている密封が損なわれて、心臓の収縮時に血液が心房に還流することになる。
【０００６】
しかし、現在の関連技術においては、弁葉修復手術における埋め込み操作が難しく、術者にとって手術強度や難易度が大きい。
【発明の概要】
【０００７】
そこで、本願では、心臓を止めることなく手術を完成して、弁葉の機能を正確に修復できる低侵襲手術で弁葉修復を行うシステムを提供する。操作が簡単で、ワンクリックでリリース及び修復操作を実現することができて、手術中の操作難易度や患者の苦痛を低減させる。
【０００８】
本願で採用される技術形態は以下のようである。
コンベアと修復部材とを含む低侵襲手術で弁葉修復を行うシステムであって、コンベア（搬送器具）は、連動リリース動作を行うことが可能であり、操作ハンドルと、位置決めピンと、アウターチューブクランプと、アウター搬送チューブと、搬送針と、プッシュチューブとを含み、修復部材は、アンカー部材と、接続線とを含むことを特徴とする。
【０００９】
さらに、操作ハンドルは、タイロッドと、プッシュハンドルと、グリップと、リリースボタンと、スライドキーと、セキュリティボタンとを含み、タイロッドはプッシュチューブに接続され、プッシュハンドルはタイロッドの外部に外嵌されており、プッシュハンドルは搬送針に接続され、グリップはプッシュハンドルの外部に外嵌されており、グリップはアウター搬送チューブに接続され、タイロッドとプッシュハンドルの両方に射出機構が設けられ、タイロッドとプッシュハンドルはバネにより伝動可能であり、位置決めピンはアウター搬送チューブの外面に外嵌され、アウター搬送チューブは搬送針の外面に外嵌され、プッシュチューブは搬送針の内部に位置し、搬送針の内部の修復部材をリリースさせるためのものである。
【００１０】
さらに、タイロッドに、排気インターフェースと、血液を密封可能で、接続線が切断されるようにカット可能な管状構造とが設けられ、タイロッドの外側とプッシュハンドルの内側との間には、バネ機構が設けられている。
【００１１】
さらに、プッシュハンドルの内側には、タイロッドの射出を制御するための係止キーが設けられ、プッシュハンドルの外側とグリップの内側との間にはバネ機構が設けられている。
【００１２】
さらに、スライドキーはグリップに位置し、トリガーリリース部分はプッシュハンドルに位置し、プッシュハンドルが引き離されると、スライドキーをリリース位置にスライドさせ、係止キーをアンロックして、さらにタイロッドをリリースさせることができる。
【００１３】
さらに、リリースボタンは、グリップに設けられ、リリースボタンをトリガーした後、即時にプッシュハンドルの射出をトリガーすることができ、スライドキーは、プッシュハンドルが射出された後に係止キーをトリガーして、タイロッドの射出をトリガーすることができる。
【００１４】
さらに、グリップには、誤操作を防止するセキュリティボタンが設けられており、セキュリティボタンは、誤操作によるリリースボタンのトリガーを防止するためのものである。
【００１５】
さらに、位置決めピンの先端とアウター搬送チューブの先端とが揃えられるように位置決めピンとアウターチューブクランプとが結合することにより、手術中の出血の停止及び埋め込み位置における弁葉の保護を実現する。
【００１６】
さらに、アンカー部材は金属や高分子材料からなり、弁葉にアンカーされる。
【００１７】
さらに、接続線はアンカー部材に接続され、高分子材料からなる。
【００１８】
本開示の一実施例において、修復部材はコンベアに接続され、操作ハンドル内には、内から外へそれぞれプッシュチューブ、搬送針、アウター搬送チューブである３重のカニューレが設けられており、操作ハンドルは、タイロッドと、プッシュハンドルと、グリップと含み、プッシュハンドルはタイロッドの外部に外嵌され、グリップはプッシュハンドルの外部に外嵌されており、操作ハンドル内に左から右への延長方向に、第１チューブベース、第２チューブベース、第３チューブベースが順に設けられ、タイロッドは第１チューブベースに接続され、プッシュハンドルは第２チューブベースに接続され、グリップは第３チューブベースに接続されており、プッシュチューブは、一端が第１チューブベースに接続され、他端が第２チューブベースの中心を貫通し、搬送針は、一端が第２チューブベースに接続され、他端が第３チューブベースの中心を貫通し、アウター搬送チューブは、一端が第３チューブベースに接続され、他端がアウターチューブクランプ及び位置決めピンの中心を貫通し、アンカー部材は、接続線に接続される。
【００１９】
さらに、第１チューブベースには第１係合溝が設けられ、プッシュチューブには第１係合片が設けられ、第１係合溝と第１係合片とは構造的に結合されており、第２チューブベースには第２係合溝が設けられ、搬送針には第２係合片が設けられ、第２係合溝と第２係合片とは構造的に結合されており、第３チューブベースには第３係合溝が設けられ、アウター搬送チューブには第３係合片が設けられ、第３係合溝と第３係合片とは構造的に結合される。
【００２０】
さらに、タイロッドの外側とプッシュハンドルの内側との間に第１バネ機構が設けられ、第１バネ機構によってタイロッドとプッシュハンドルとが伝動接続されており、プッシュハンドルの外側とグリップの内側との間に第２バネ機構が設けられ、第２バネ機構によってプッシュハンドルとグリップとが伝動接続される。
【００２１】
さらに、タイロッドには、排気インターフェースと、テンター装置と、管状構造と、プッシュハンドル内でスライド可能な第１スリップキーとが設けられ、管状構造は、血液を密封可能であり、且つ接続線が切断されてアンカー部材がコンベアから離脱するようにカットされることが可能であり、テンター装置は、ワイヤークランプと、第１バネとを含み、ワイヤークランプは接続線に接続される。
【００２２】
さらに、プッシュハンドル内には、タイロッドがスライドする第１スリップ溝が設けられ、第１スリップ溝は第１スリップキーにフィットし、プッシュハンドルの外部には、グリップ内でスライド可能な第２スリップキーが設けられている。
【００２３】
さらに、プッシュハンドルには、一端に第２バネが設けられていて、第２バネによってタイロッドをロックする係止キーが内部に設けられた方形構造が設けられている。
【００２４】
さらに、グリップには、スライドキーと、プッシュハンドルがスライドする第２スリップ溝とが設けられ、第２スリップ溝は、第２スリップキーにフィットし、スライドキーはグリップの尾部に位置して、プッシュハンドルが引き離されると、スライドキーがリリース位置にスライド可能となり、スライドキーはプッシュハンドルが射出される際に係止キーをアンロックして、さらにタイロッドの射出をトリガーする。
【００２５】
さらに、グリップの先端にリリースボタンが設けられ、リリースボタンの下端に第３バネが設けられ、プッシュハンドルが引き離されると、リリースボタンは第３バネによってプッシュハンドルをロックし、リリースボタンがトリガーされると、プッシュハンドルの射出がトリガーされることができる。
【００２６】
さらに、グリップには、リリースボタンに隣接して設けられ、且つ尾部に第４バネが設けられていて、第４バネの弾性力によってロックを保持するセキュリティボタンがさらに設けられている。
【００２７】
さらに、グリップには、セキュリティボタンに隣接して設けられ、セキュリティボタンのアンロック後のリセットに用いられるセキュリティボタンリセット孔がさらに設けられている。
【００２８】
従来技術に比べて、本願による有益な効果は以下のようである。本願の低侵襲手術で弁葉修復を行うシステムは、コンベアと修復部材とを含み、コンベアと修復部材は連動リリース動作を行うことができる。コンベアは、操作ハンドルと、位置決めピンと、アウターチューブクランプと、アウター搬送チューブと、搬送針と、プッシュチューブとを含み、修復部材は、アンカー部材と、接続線とを含む。本願によるシステムは、心臓を止めることなく手術を完成することができ、超音波、胸腔鏡、腹腔鏡のような現代の映像機器のナビゲーション機能を利用して、弁葉を正確に修復することができ、操作が簡単で、ワンクリックでリリース及び修復操作を実現することができて、手術中の操作難易度や患者の苦痛を低減させ、手術の成功率を向上させる。
【図面の簡単な説明】
【００２９】
【図１】図１は、本願による操作ハンドルの断面図である。
【図２】図２は、本願によるコンベアの非操作ハンドル部分の構造の模式図である。
【図３】図３は、本願による弁葉修復システムの修復部材の設置模式図である。
【図４】図４は、本願による第１チューブベースとプッシュチューブの分解図である。
【図５】図５は、本願による第２チューブベースと搬送針の分解図である。
【図６】図６は、本願による第３チューブベースとアウター搬送チューブの分解図である。
【図７】図７は、本願によるテンター装置及び管状構造の結合模式図である。
【図８】図８は、本願による第１スリップ溝の位置図である。
【図９】図９は、本願による第２スリップ溝の位置図である。
【図１０】図１０は、本願による第２スリップキーの位置図である。
【図１１】図１１は、本願による操作ハンドルの先端の構造の模式図である。
【図１２】図１２は、本願による操作ハンドルの斜視構成図である。
【発明を実施するための形態】
【００３０】
以下、図面を参照して、本願の具体的な実施形態について詳細に説明する。
図１及び図３に示すように、図１は、本願による操作ハンドルの構造の模式図であり、図３は、本願による弁葉修復システムの修復部材の設置模式図である。本願による低侵襲手術で弁葉修復を行うシステムは、コンベアと、修復部材２１とを含み、修復部材２１はコンベアに接続される。ここで、修復部材２１は、アンカー部材と、接続線とを含み、アンカー部材は接続線に接続される。修復部材２１の接続線は、プッシュチューブ１１を貫通してタイロッド１のワイヤークランプ２８に接続され、アンカー部材はプッシュチューブ１１の端部に載置され、搬送針１０の内部に位置する。ここで、アンカー部材は金属や高分子材料からなり、弁葉にアンカーされる。接続線は、例えば、延伸ポリテトラフルオロエチレン、ポリエステルなどの高分子材料で製造されるものである。
【００３１】
コンベアは、操作ハンドルと、位置決めピン１９と、アウターチューブクランプ２０と、アウター搬送チューブ９と、搬送針１０と、プッシュチューブ１１とを含む。本願の実施例において、操作ハンドルは、タイロッド１と、プッシュハンドル２と、グリップ３と、リリースボタン７と、スライドキー６と、セキュリティボタン８と、を含む。タイロッド１の外部にはプッシュハンドル２が外嵌されている。プッシュハンドル２の外部にはグリップ３が外嵌されている。タイロッド１の外側でありプッシュハンドル２の内側には第１バネ機構１２が外嵌されており、タイロッド１とプッシュロッド２が第１バネ機構１２によって伝動可能であることにより、タイロッド１がプッシュハンドル２に対して軸方向に移動することができる。プッシュハンドル２の外側には、第２バネ機構１３が外嵌されており、プッシュハンドル２とグリップ３が第２バネ機構１３によって伝動可能であることにより、プッシュハンドル２がグリップ３に対して軸方向に移動することができる。
【００３２】
プッシュハンドル２内には係止キー５が設けられており、係止キー５はバネ機構によりタイロッド１の射出の規制を実現し、プッシュハンドル２内には、タイロッド１と、タイロッド１を射出させる第１バネ機構１２と、タイロッド１がスライドするスリップ溝が収容されてもよく、プッシュハンドル２の外部にはグリップ３内でスライド可能なスリップキーが設けられている。グリップ３にはスライドキー６が設けられ、プッシュハンドル２が引き離されると、スライドキー６が係止キーをトリガーする位置に自動的にスライドする。グリップ３にはリリースボタン７が設けられ、リリースボタン７が押下されると、プッシュハンドル２は第２バネ機構１３によって前向きに射出される。グリップ３内には、プッシュハンドル２がスライドする位置決め溝が設けられており、プッシュハンドル２が第２バネ機構１３によって前向きに射出されると、スライドキー６が係止キー５をトリガーし、さらに、タイロッド１が第１バネ機構１２によって前向きに射出されることになる。グリップ３には、リリースボタン７を制御し、誤操作によるリリースボタン７のトリガーを防止するためのセキュリティボタン８が設けられている。
【００３３】
操作ハンドル内には３重のカニューレが設けられ、内から外へそれぞれプッシュチューブ１１、搬送針１０、アウター搬送チューブ９である。位置決めピン１９（図２を参照）は、アウター搬送チューブ９の外面に外嵌され、アウター搬送チューブ９は搬送針１０の外面に外嵌されていて、プッシュチューブ１１は、搬送針１０の内部に位置して、修復部材のリリースに用いられる。操作ハンドル内には、左から右への（図１の方位を基準とする）延長方向に第１チューブベース１４、第２チューブベース１５、第３チューブベース１６が順に設けられている。タイロッド１は第１チューブベース１４に接続され、プッシュハンドル２は第２チューブベース１５に接続され、プッシュチューブ１１は、一端が第１チューブベース１４に接続され、他端が第２チューブベース１５の中心を貫通している。搬送針１０は、一端が第２チューブベース１５に接続され、他端が第３チューブベース１６の中心を貫通している。アウター搬送チューブ９は、一端が第３チューブベース１６に接続され、他端がアウターチューブクランプ２０及び位置決めピン１９の中心を貫通している。
【００３４】
図４は本願による第１チューブベースとプッシュチューブの分解図である。図５は本願による第２チューブベースと搬送針の分解図である。図６は本願による第３チューブベースとアウター搬送チューブの分解図である。図４〜図６を参照すると、さらに、第１チューブベース１４には第１係合溝２２が設けられ、プッシュチューブ１１には第１係合片２５が設けられ、第１係合溝２２と第１係合片２５とは構造的に結合されている。プッシュチューブ１１における第１係合片２５の下方の部分は、接着剤によって第１チューブベース１４に接着されている。第２チューブベース１５には第２係合溝２３が設けられ、搬送針１０には第２係合片２６が設けられ、搬送針１０における第２係合片２６下方の部分は接着剤によって第２チューブベース１５に接着されている。第２係合溝２３と第２係合片２６とは構造的に結合されている。第３チューブベース１６には第３係合溝２４が設けられ、アウター搬送チューブ９には第３係合片２７が設けられ、アウター搬送チューブ９における第３係合片２７下方の部分は接着剤によって第３チューブベース１６に接着されている。第３係合溝２４と第３係合片２７とは構造的に結合されている。接着させることで、チューブとチューブベースを密封し、チューブの回動及びチューブのチューブベースからの離脱を防止することができる。また、係合片と係合溝との結合により、射出の過程で衝撃力によってチューブが変位してチューブベースから離脱してしまうことを防止することができる。なお、理解すべきことは、本願の他の実施例において、プッシュチューブ１１、搬送針１０、アウター搬送チューブ９とそれぞれに対応されるチューブベースとの接続形態は、係合片と係合溝との結合及び接着による接続形態ではなく、ファスナーにより接続されてもよい。図７は、本願によるテンター装置及び管状構造の結合模式図である。図７を参照すると、タイロッド１には、排気インターフェース１７、テンター装置、管状構造４、プッシュハンドル２内でスライド可能な第１スリップキー１８と（図１を参照）が設けられ、管状構造４は、血液を密封可能であり、接続線が切断されるようにカットされることが可能である。管状構造４と修復部材２１の接続線をカットすると、アンカー部材のコンベアからの離脱が可能となる。テンター装置のポートには、排気インターフェース１７が設けられており、テンター装置は、ワイヤークランプ２８とバネ２９を含み、ワイヤークランプ２８は修復部材２１の接続線に接続される。図８は本願による第１スリップ溝の位置図である。図９は本願による第２スリップ溝の位置図である。図１０は本願による第２スリップキーの位置図である。図８〜図１０を参照すると、さらに、第１バネ機構１２はタイロッド１を射出させるためのものであり、プッシュハンドル２内にはタイロッド１がスライドする第１スリップ溝３０がさらに設けられ、第１スリップ溝３０はタイロッド１の第１スリップキー１８にフィットする。グリップ３内には、プッシュハンドル２がスライドする第２スリップ溝３１が設けられ、第２スリップキー３２は、グリップ３の第２スリップ溝３１にフィットする。
【００３５】
図１１は本願による操作ハンドルの先端の構造の模式図である。図１２は本願による操作ハンドルの斜視構成図である。図１１及び図１２を参照すると、プッシュハンドル２の左側に方形構造が設けられ、方形構造内に係止キー５が設けられ、方形構造内のスリップ溝に沿って係止キー５が上下移動可能である。係止キー５の下端には、第２バネ（図示せず）が設けられており、係止キー５は、第２バネによって前記タイロッド１をロックする。
【００３６】
リリースボタン７は、グリップ３の先端（即ち、図１に示す右端）に位置し、グリップ３の先端内部のスリップ溝によって上下移動しており、下端に第３バネ（図示せず）が設けられており、第３バネの弾性力によってプッシュハンドル２に対するロックを保持する。
【００３７】
本願の実施例では、グリップ３に、プッシュハンドル２がスライドする第２スリップ溝３１が設けられ、第２スリップ溝３１は第２スリップキー３２にフィットする。スライドキー６は、グリップ３の尾部（即ち、図１に示す左端）に位置し、グリップ３の尾部のスリップ溝と案内柱、及びバネの弾性力によって運動する。プッシュハンドル２が引き離されると、スライドキー６はリリース位置に自動的にスライドし、プッシュハンドル２が射出されると、係止キー５をアンロックしてタイロッド１をトリガーし、タイロッド１が第１バネ機構１２によって前向きに射出される。
【００３８】
グリップ３には、セキュリティボタンリセット孔３３がさらに設けられており、本願の一実施例において、セキュリティボタン８はリリースボタン７に隣接して設けられ、セキュリティボタンリセット孔３３はセキュリティボタン８に隣接して設けられ、セキュリティボタン８はグリップ３の先端内部のスリップ溝によりスライドする。セキュリティボタン８はリリースボタン７の誤作動による修復部材１４の意図しないリリースを防止する。セキュリティボタンリセット孔３３は、セキュリティボタン８のアンロック後のリセットに用いられる。
【００３９】
本願の実施例では、位置決めピン１９の先端とアウター搬送チューブ９の先端とが平行になるように、位置決めピン１９をアウターチューブクランプ２０と結合して使用することで、手術中の血液の密封及び埋め込み位置の弁葉への保護を実現することができる。本願の実施例による低侵襲手術で弁葉修復を行うシステムは、操作が簡単で、ワンステップでリリース及び修復動作が実現することができ、手術中の操作の難易度や患者の苦痛を低減させる。心臓を止めずに手術を完成し、超音波、胸腔鏡、腹腔鏡のような現代の映像機器のナビゲーション機能を利用して、弁葉機能を正確に修復することができる。また、本願によるセキュリティボタンは、誤操作による意図しないボタンのトリガーの発生を防止することができる。セキュリティボタンの保護が解除された後、バースト状態のためハンドル操作を一時的に中断する必要があるとき、セキュリティボタンリセット孔によって、セキュリティボタンを保護状態に再び復帰させることができる。操作ハンドルに設けられたテンター装置によれば、人工腱索がリリースされた後に「Ｔ」字状の構造に自動的に引き伸ばされることができ、人工腱索が射出された後も「−」字状に保持されて弁葉から容易に離脱することを回避することができる。本願の実施例による操作ハンドルは、それぞれチューブとチューブベースとの二つの部分からなる３重のカニューレにより構成される。三つのチューブにはいずれも係合片が設けられており、三つのチューブベースにはいずれも係合溝が設けられている。チューブにおける係合片の下方の部分は接着剤によってチューブベースに接着されるとともに、チューブの係合片はチューブベースの係合溝と結合される。該構成によると、接着させることで、チューブとチューブベースを密封して、チューブの回動及びチューブのチューブベースからの離脱を防止することができる利点がある。また、係合片と係合溝との結合により、射出の過程で衝撃力によってチューブが変位してチューブベースから離脱してしまうことを防止することができる。
【００４０】
以上の一連の詳細な説明は、本願の実施可能な実施形態についての具体的な説明に過ぎず、本願の保護範囲を限定するものではない。当業者が備える知識範囲内で、本願の要旨を逸脱しない範囲でなされた様々な変更は本願の保護範囲に含まれる。
【産業上の利用可能性】
【００４１】
本願による弁葉修復システムは、低侵襲手術における弁葉の修復に好適であり、操作が簡単で、ワンステップでリリース及び修復操作を完了することができ、且つ手術中の操作の難易度や患者の苦痛を低減させ、手術の成功率を向上させることができる。
【符号の説明】
【００４２】
１…タイロッド、２…プッシュハンドル、３…グリップ、４…管状構造、５…係止キー、６…スライドキー、７…リリースボタン、８…セキュリティボタン、９…アウター搬送チューブ、１０…搬送針、１１…プッシュチューブ、１２…第１バネ機構、１３…第２バネ機構、１４…第１チューブベース、１５…第２チューブベース、１６…第３チューブベース、１７…排気インターフェース、１８…第１スリップキー、１９…位置決めピン、２０…アウターチューブクランプ、２１…修復部材、２２…第１係合溝、２３…第２係合溝、２４…第３係合溝、２５…第１係合片、２６…第２係合片、２７…第３係合片、２８…ワイヤークランプ、２９…バネ、３０…第１スリップ溝、３１…第２スリップ溝、３２…第２スリップキー、３３…セキュリティボタンリセット孔。
【図１】
2021500194.tif 000003
【図２】
2021500194.tif 000004
【図３】
2021500194.tif 000005
【図４】
2021500194.tif 000006
【図５】
2021500194.tif 000007
【図６】
2021500194.tif 000008
【図７】
2021500194.tif 000009
【図８】
2021500194.tif 000010
【図９】
2021500194.tif 000011
【図１０】
2021500194.tif 000012
【図１１】
2021500194.tif 000013
【図１２】
2021500194.tif 000014
【国際調査報告】
2021500194.tif 000015
2021500194.tif 000016
2021500194.tif 000017
2021500194.tif 000018
2021500194.tif 000019